(57)【要約】【課題】特別に部品を追加することなく、風によるノイズをキャンセリングし、高音質録音を実現する。【解決手段】制御部（ＣＰＵ）１２は、動画撮影中、スピーカ（圧電）１１で音孔から圧力変化（風圧変化）を検出し、マイク（通話用）９、及びマイク（録画用）１０からの音声とスピーカ（圧電）１１からの圧力変化（風圧変化）とに基づいて、雑音に対して逆相のノイズキャンセラ信号を生成し、音声処理部８を介して、該逆相のノイズキャンセラ信号に相当する音をスピーカ（圧電）１１から放射する。スピーカ（圧電）１１からは、マイク（通話用）９、及びマイク（録画用）１０で取り込まれる雑音を打ち消す音が出力される。【選択図】図１
2013025281.tif 000002
【特許請求の範囲】
【請求項１】
マイクロフォンにより音声を集音しつつ、撮影部により撮影した映像を音声付映像として記録するとともに、再生中の音声付映像の映像を表示部により表示し、再生中の音声付映像の音声をスピーカにより出力する電子機器であって、
音声付映像記録時に、前記スピーカにより風圧変化を検出する風圧変化検出手段と、
前記マイクロフォンにより集音した音声と、前記風圧変化検出手段により検出した風圧変化とに基づいて、前記マイクロフォンにより集音した音声に含まれる雑音を除去するためのノイズキャンセラ信号を生成するノイズキャンセラ信号生成手段と、
前記ノイズキャンセラ信号生成手段により生成されたノイズキャンセラ信号に相当する音を前記スピーカから放射させる制御手段と
を備えることを特徴とする電子機器。
【請求項２】
前記スピーカは、圧電素子からなることを特徴とする請求項１に記載の電子機器。
【請求項３】
前記スピーカと前記マイクロフォンとは、当該電子機器の筺体の同一面上に配置されていることを特徴とする請求項１または２に記載の電子機器。
【請求項４】
音声を集音するマイクロフォンと、撮影部により映像を撮影する撮影部と、再生中の音声付映像の映像を表示する表示部と、再生中の音声付映像の音声を出力するスピーカとを備える電子機器における雑音処理方法であって、
音声付映像記録時に、前記スピーカにより風圧変化を検出する風圧変化検出ステップと、
前記マイクロフォンにより集音した音声と、前記風圧変化検出ステップで検出した風圧変化とに基づいて、前記マイクロフォンにより集音した音声に含まれる雑音を除去するためのノイズキャンセラ信号を生成するノイズキャンセラ信号生成ステップと、
前記ノイズキャンセラ信号生成ステップで生成されたノイズキャンセラ信号に相当する音を前記スピーカから放射させる制御ステップと
を含むことを特徴とする雑音処理方法。
【請求項５】
前記スピーカは、圧電素子からなることを特徴とする請求項４に記載の雑音処理方法。
【請求項６】
前記スピーカと前記マイクロフォンとは、当該電子機器の筺体の同一面上に配置されていることを特徴とする請求項４または５に記載の雑音処理方法。
【請求項７】
音声を集音するマイクロフォンと、撮影部により映像を撮影する撮影部と、再生中の音声付映像の映像を表示する表示部と、再生中の音声付映像の音声を出力するスピーカとを備える電子機器のコンピュータに、
音声付映像記録時に、前記スピーカにより風圧変化を検出する風圧変化検出機能、
前記マイクロフォンにより集音した音声と、前記風圧変化検出ステップで検出した風圧変化とに基づいて、前記マイクロフォンにより集音した音声に含まれる雑音を除去するためのノイズキャンセラ信号を生成するノイズキャンセラ信号生成機能、
前記ノイズキャンセラ信号生成機能で生成されたノイズキャンセラ信号に相当する音を前記スピーカから放射させる制御機能
を実行させることを特徴とするプログラム。
【発明の詳細な説明】
【技術分野】
【０００１】
本発明は、携帯電話等の電子機器に用いられ、屋外環境においも、良好な通話音質の再生が可能な電子機器、雑音処理方法、及びプログラムに関する。
【背景技術】
【０００２】
近年、携帯電話の需要拡大に伴い、装置メーカ各社においては、ＴＶ電話や動画再生、ハンズフリー電話機能を搭載した薄型スタイリッシュ携帯の開発に取り組んでいる。この中、音響機能への要望は大きく、特に、高音質通話への要求は高い。
【０００３】
従来、携帯電話では、ハンドセットを利用した通常通話と、電話機を手で保持することなく通話するハンズフリー通話がある。いつでも何処でも利用できる携帯電話の利便性を考えた場合、室内だけでなく、屋外などでの使用も求められる。屋外での使用においては、風によるノイズ、周囲からの雑音などにより、通話に係る音声が聞き取りにくくなるという問題がある。そこで、外部の風圧を検出し、該風圧を打ち消すようなノイズキャンセラを組み込むことが考えられる。
【０００４】
例えば、特許文献１、２には、微弱な風圧を測定する風圧センサに関する技術が開示されている。また、特許文献３には、外部からの音圧に応じた電圧を発生させる圧電素子からなる受音板を設け、該受音板で発生した電圧に応じた電流を抵抗器に通電させてジュール熱として消費するとともに、受音板を通過した音を検出し、該通過した音と逆位相で振幅が等しい音波を出力することで通過した音を減衰させるスピーカや、音波出力回路などを設ける技術が開示されている。
【先行技術文献】
【特許文献】
【０００５】
【特許文献１】特開２００２−１４８２７３号公報
【特許文献２】特開昭５９−２１８９６１号公報
【特許文献３】特開平６−３０８９６９号公報
【発明の概要】
【発明が解決しようとする課題】
【０００６】
しかしながら、上記従来技術では、風によるノイズをキャンセリングするためには、特別に部品を追加する必要があり、小型化を図らなくてはならない携帯電話での実現は難しいという問題があった。
【０００７】
そこで本発明は、特別に部品を追加することなく、風によるノイズをキャンセリングし、高音質録音を実現させることができる電子機器、雑音処理方法、及びプログラムを提供することを目的とする。
【課題を解決するための手段】
【０００８】
本発明の電子機器は、マイクロフォンにより音声を集音しつつ、撮影部により撮影した映像を音声付映像として記録するとともに、再生中の音声付映像の映像を表示部により表示し、再生中の音声付映像の音声をスピーカにより出力する電子機器であって、音声付映像記録時に、前記スピーカにより風圧変化を検出する風圧変化検出手段と、前記マイクロフォンにより集音した音声と、前記風圧変化検出手段により検出した風圧変化とに基づいて、前記マイクロフォンにより集音した音声に含まれる雑音を除去するためのノイズキャンセラ信号を生成するノイズキャンセラ信号生成手段と、前記ノイズキャンセラ信号生成手段により生成されたノイズキャンセラ信号に相当する音を前記スピーカから放射させる制御手段とを備えることを特徴とする電子機器である。
【０００９】
本発明の雑音処理方法は、音声を集音するマイクロフォンと、撮影部により映像を撮影する撮影部と、再生中の音声付映像の映像を表示する表示部と、再生中の音声付映像の音声を出力するスピーカとを備える電子機器における雑音処理方法であって、音声付映像記録時に、前記スピーカにより風圧変化を検出する風圧変化検出ステップと、前記マイクロフォンにより集音した音声と、前記風圧変化検出ステップで検出した風圧変化とに基づいて、前記マイクロフォンにより集音した音声に含まれる雑音を除去するためのノイズキャンセラ信号を生成するノイズキャンセラ信号生成ステップと、前記ノイズキャンセラ信号生成ステップで生成されたノイズキャンセラ信号に相当する音を前記スピーカから放射させる制御ステップとを含むことを特徴とする雑音処理方法である。
【００１０】
本発明のプログラムは、音声を集音するマイクロフォンと、撮影部により映像を撮影する撮影部と、再生中の音声付映像の映像を表示する表示部と、再生中の音声付映像の音声を出力するスピーカとを備える電子機器のコンピュータに、音声付映像記録時に、前記スピーカにより風圧変化を検出する風圧変化検出機能、前記マイクロフォンにより集音した音声と、前記風圧変化検出ステップで検出した風圧変化とに基づいて、前記マイクロフォンにより集音した音声に含まれる雑音を除去するためのノイズキャンセラ信号を生成するノイズキャンセラ信号生成機能、前記ノイズキャンセラ信号生成機能で生成されたノイズキャンセラ信号に相当する音を前記スピーカから放射させる制御機能を実行させることを特徴とするプログラムである。
【発明の効果】
【００１１】
この発明によれば、特別に部品を追加することなく、風によるノイズをキャンセリングし、高音質録音を実現させることができる。
【図面の簡単な説明】
【００１２】
【図１】本発明の実施形態による携帯電話１の構成を示すブロック図である。
【図２】本実施形態による携帯電話の外観構成を示す模試図である。
【図３】本実施形態による携帯電話１の動作を説明するためのフローチャートである。
【図４】付記１の構成図である。
【発明を実施するための形態】
【００１３】
本発明は、動画録音用のマイクと同一面（近傍）に配置された、圧電素子からなるスピーカを用いて、音孔からの圧力変化を検出することで、リアルタイムで風量を検知し、マイクロフォンから入力される録音時のノイズをキャンセリングするように、ノイズとは逆相の音をスピーカから出力することで、高音質録音を実現することを特徴としている。
【００１４】
以下、本発明の実施の形態を、図面を参照して説明する。
【００１５】
図１は、本発明の実施形態による携帯電話１の構成を示すブロック図である。図において、携帯電話１は、通信部２、撮影部３、ＲＯＭ４、ＲＡＭ５、タッチパネル６、表示部７、音声処理部８、マイク（通話用）９、マイク（録音用）１０、及びスピーカ（圧電素子）１１を備えている。
【００１６】
通信部２は、電話回線網を介して、音声通信や、データ通信を行う。撮影部３は、フォーカスレンズ、ズームレンズなどのレンズ群、撮像素子（ＣＣＤなど）を含み、撮像制御部３からの制御信号に従って、オートフォーカシング、絞り、ズーミングなどを調整し、撮像素子によりレンズ群を介して投影された被写体の光を電気信号に変換し、撮像信号として出力する。撮影部３は、静止画に加えて動画も撮影可能となっている。なお、本実施形態では、動画撮影時おいて、風などによる雑音を抑制する技術を提供するものである。
【００１７】
ＲＯＭ４は、制御部（ＣＰＵ）１２による携帯電話１の各部の制御に必要なプログラム、及び各部の制御に必要なデータを記憶している。ＲＡＭ５は、撮影部３によって撮像された画像データや、動画データを一時記憶するバッファメモリとして使用されるとともに、制御部（ＣＰＵ）１２のワーキングメモリとして使用される。
【００１８】
タッチパネル６は、表示部７上に設けられており、表示部７に表示される表示に従って、動作指示、データ入力等をタッチ操作するためのものである。表示部７は、カラーＬＣＤとその駆動回路を含み、撮影部３による撮像画像や、動画、通信／通話に係る各種情報を表示する。
【００１９】
音声処理部８は、通話時には、マイク（通話用）９からの音声を制御部（ＣＰＵ)１２に供給するとともに、音声信号を処理してスピーカ（圧電）１１から出力する。また、音声処理部８は、動画撮影時には、マイク（通話用）９及びマイク（録画用）１０を用いて、音声のステレオ録音（該音声にはノイズが含まれる）を行うとともに、スピーカ（圧電）１１により音孔からの圧力（風圧）変化を取り込み、制御部（ＣＰＵ）１２に供給する。
【００２０】
制御部（ＣＰＵ）１２は、携帯電話１の各部を制御するワンチップマイコンである。特に、本実施形態では、制御部（ＣＰＵ）１２は、動画撮影時、スピーカ（圧電）１１からの圧力（風圧）変化と、マイク（通話用）９及びマイク（録画用）１０から入力される音声信号とに基づいて、風圧（または風量）を正相の雑音とし、該雑音に対して、逆相の音をスピーカ（圧電）１１から放射することで、マイク（通話用）９及びマイク（録画用）１０からのステレオ音に含まれる雑音を低減する。
【００２１】
図２は、本実施形態による携帯電話の外観構成を示す模試図である。なお、図１に対応する部分には同一の符号を付けて説明を省略する。表示部７（タッチパネル６を含む）は、筺体の一方の面の略中央に配置されている。その上面裏面には、撮影部３が配置されており、該撮影部３により撮影された映像が表示部７に表示されるようになっている。また、マイク（通話用）９及びマイク（録画用）１０は、表示部７を挟んで両端（図示では上下端）に設けられている。また、スピーカ（圧電）１１もマイク（通話用）９及びマイク（録画用）１０と同一面に設けられている。
【００２２】
次に、上述した実施形態の動作について説明する。
図３は、本実施形態による携帯電話１の動作を説明するためのフローチャートである。まず、制御部（ＣＰＵ）１２は、動画撮影が開始されたか否か判定し（ステップＳ１０）、動画撮影が開始されるまで待機する（ステップＳ１０のＮＯ）。そして、動画撮影が開始されると（ステップＳ１０のＹＥＳ）、制御部（ＣＰＵ）１２は、マイク（通話用）９及びマイク（録画用）１０から音声（ステレオ音声）を入力しつつ、撮影部３で動画を撮影する（ステップＳ１２）。
【００２３】
動画撮影中は、スピーカ（圧電）１１で音孔から圧力変化（風圧変化）を検出し（ステップＳ１４）、マイク（通話用）９及びマイク（録画用）１０からの音声とスピーカ（圧電）１１からの圧力変化（風圧変化）とに基づいて、雑音に対して逆相のノイズキャンセラ信号を生成する（ステップＳ１６）。そして、制御部（ＣＰＵ）１２は、音声処理部８を介して、該逆相のノイズキャンセラ信号に相当する音をスピーカ（圧電）１１から放射する（ステップＳ１８）。
【００２４】
これにより、スピーカ（圧電）１１からは、マイク（通話用）９及びマイク（録画用）１０で取り込まれる雑音を打ち消す音が出力されるので、実質的に、マイク（通話用）９及びマイク（録画用）１０で取り込まれる雑音が低減される。
【００２５】
最終的に、撮影した動画はファイルとして保存される（ステップＳ２０）。次に、動画撮影が終了したか（ユーザ操作による終了など）否かを判定し（ステップＳ２２）、撮影終了されていなければ（ステップＳ２２のＮＯ）、ステップＳ１２に戻り、動画撮影を継続する。一方、撮影が終了されれば（ステップＳ２２のＹＥＳ）、当該処理を終了する。
【００２６】
なお、本実施形態は、端末装置として携帯電話に適用した例であるが、本発明はこれに限定されるものではなく、例えば、通信機能を持つデジタルカメラ、携帯情報端末、ノートパッド、パーソナルコンピュータ、通信機、その他の電子機器等にも幅広く適用できる。
【００２７】
上述した実施形態によれば、スピーカとして用いている既存の圧電スピーカを利用して風量を検知し、風ノイズキャンセングにフィードバックを行うようにしたので、特別に部品を追加することなく、風によるノイズをキャンセリングし、高音質録音を実現することができる。
【００２８】
以下、本発明の特徴を付記する。
上記の実施形態の一部又は全部は、以下の付記のようにも記載されうるが、以下には限られない。
（付記１）
図４は、付記１の構成図である。この図に示すように、付記１記載の発明は、
マイクロフォン２１により音声を集音しつつ、撮影部２２により撮影した映像を音声付映像として記録するとともに、再生中の音声付映像の映像を表示部２３により表示し、再生中の音声付映像の音声をスピーカ２４により出力する電子機器２０であって、
音声付映像記録時に、前記スピーカにより風圧変化を検出する風圧変化検出手段２５と、
前記マイクロフォン２１により集音した音声と、前記風圧変化検出手段２５により検出した風圧変化とに基づいて、前記マイクロフォン２１により集音した音声に含まれる雑音を除去するためのノイズキャンセラ信号を生成するノイズキャンセラ信号生成手段２６と、
前記ノイズキャンセラ信号生成手段２６により生成されたノイズキャンセラ信号に相当する音を前記スピーカ２４から放射させる制御手段２７と
を備えることを特徴とする電子機器である。
【００２９】
（付記２）
前記スピーカは、圧電素子からなることを特徴とする付記１に記載の電子機器である。
【００３０】
（付記３）
前記スピーカと前記マイクロフォンとは、当該電子機器の筺体の同一面上に配置されていることを特徴とする付記１または２に記載の電子機器である。
【００３１】
（付記４）
音声を集音するマイクロフォンと、撮影部により映像を撮影する撮影部と、再生中の音声付映像の映像を表示する表示部と、再生中の音声付映像の音声を出力するスピーカとを備える電子機器における雑音処理方法であって、
音声付映像記録時に、前記スピーカにより風圧変化を検出する風圧変化検出ステップと、
前記マイクロフォンにより集音した音声と、前記風圧変化検出ステップで検出した風圧変化とに基づいて、前記マイクロフォンにより集音した音声に含まれる雑音を除去するためのノイズキャンセラ信号を生成するノイズキャンセラ信号生成ステップと、
前記ノイズキャンセラ信号生成ステップで生成されたノイズキャンセラ信号に相当する音を前記スピーカから放射させる制御ステップと
を含むことを特徴とする雑音処理方法である。
【００３２】
（付記５）
前記スピーカは、圧電素子からなることを特徴とする付記４に記載の雑音処理方法である。
【００３３】
（付記６）
前記スピーカと前記マイクロフォンとは、当該電子機器の筺体の同一面上に配置されていることを特徴とする付記４または５に記載の雑音処理方法である。
【００３４】
（付記７）
音声を集音するマイクロフォンと、撮影部により映像を撮影する撮影部と、再生中の音声付映像の映像を表示する表示部と、再生中の音声付映像の音声を出力するスピーカとを備える電子機器のコンピュータに、
音声付映像記録時に、前記スピーカにより風圧変化を検出する風圧変化検出機能、
前記マイクロフォンにより集音した音声と、前記風圧変化検出ステップで検出した風圧変化とに基づいて、前記マイクロフォンにより集音した音声に含まれる雑音を除去するためのノイズキャンセラ信号を生成するノイズキャンセラ信号生成機能、
前記ノイズキャンセラ信号生成機能で生成されたノイズキャンセラ信号に相当する音を前記スピーカから放射させる制御機能
を実行させることを特徴とするプログラムである。
【符号の説明】
【００３５】
１  携帯電話
２  通信部
３  撮影部
４  ＲＯＭ
５  ＲＡＭ
６  タッチパネル
７  表示部
８  音声処理部
９  マイク（通話用）
１０  マイク（録音用）
１１  スピーカ（圧電）
【図１】
2013025281.tif 000003
【図２】
2013025281.tif 000004
【図３】
2013025281.tif 000005
【図４】
2013025281.tif 000006